(57)【要約】【課題】床面全体を取替えることなく、床面を構成する帯板状木質床材のうち、汚れたり、傷んだもののみを部分的に取替えることのできる木質リフォーム床材及びそれを用いたリフォーム方法を提供する。【解決手段】隣り合う床材の長手方向の左右側面に設けられた溝部５１どうしを雇い実６により実結合し、床面として用いられた複数の帯板状木質床材５を個々に取替えるための該帯板状木質床材５と同形の床材であって、基板部１と該基板部１の左右上部に水平に突設された左係止部１１と右係止部１２とからなり、断面略Ｔ字形で、かつ、木口Ｋが合じゃくり構造とされた木質リフォーム床材Ａ、及びそれを用いたリフォーム方法。【選択図】図１
2007154626.tif 000002
【特許請求の範囲】
【請求項１】
隣り合う床材の長手方向の左右側面に設けられた溝部どうしを雇い実により実結合し、床面として用いられた複数の帯板状木質床材を個々に取替えるための該帯板状木質床材と同形の床材であって、基板部と該基板部の左右上部に水平に突設された左係止部と右係止部とからなり、断面略Ｔ字形で、かつ、木口が合じゃくり構造とされた木質リフォーム床材。
【請求項２】
隣り合う床材の長手方向の左右側面に設けられた溝部どうしを雇い実により実結合し、床面として用いられた複数の帯板状木質床材を個々に取替えるための該帯板状木質床材と同形の床材であって、基板部と該基板部の左右上部に水平に突設された左係止部と右係止部とからなり、断面略Ｔ字形で、かつ、木口が合じゃくり構造とされた木質リフォーム床材を、損傷した上記帯板状木質床材を取り除いた部分に嵌入し、上記基板部の底面を床下地材に固着する木質床材のリフォーム方法。
【請求項３】
上記基板部の底面を両面粘着テープを用いて床下地材に貼着し、固着する請求項２に記載の木質床材のリフォーム方法。
【請求項４】
さらに、上記木質リフォーム床材の左係止部の下面と右係止部の下面とを、それぞれリフォーム用雇い実に固着する請求項２に記載の木質床材のリフォーム方法。
【発明の詳細な説明】
【技術分野】
【０００１】
本発明は、床面のリフォームに関する。さらに詳しくは、複数の帯板状木質床材からなる床面の傷んだ部分のみを取替えるための木質リフォーム床材及びリフォーム方法に関する。
【背景技術】
【０００２】
例えば、下記特許文献１に記載の複合化粧板等の木質床材を床面として施工する場合、帯板状の上記木質床材を、下記特許文献１の第１図に示されているように、雄実と雌実とからなる実結合によって長手方向どうしの側面を結合し、浮き上がりや反り等が生じることのないように一体化して用いられている。そのため、床面の一部分に傷が付いたり、凹んだりした場合、損傷した木質床材のみを取替えることは非常に手間が掛かり、結局、床面全体を取替えるか、新しい床材を重ね貼りする等、全体的なリフォームを行うこととなる。
【特許文献１】特開平１１−１７０４３６号公報（第１〜３頁、第１図）
【発明の開示】
【発明が解決しようとする課題】
【０００３】
一方、雄実と雌実とからなる実結合とは異なって、本願図３に示すように、帯板状の木質床材５の長手方向の左右側面に溝部５１を設け、隣り合う床材どうしの溝部５１を上記木質床材５とは別体の雇い実６によって相互に実結合し、一体化して床面として使用することも行われている。上記雇い実６によって一体化された床面においても、損傷した木質床材５のみを部分的に取替えることは困難であり、床面全体を取替えるか、新しい床材を重ね貼りする等の必要があり、作業的にも手間がかかり、コストも掛かるという問題がある。
【０００４】
本発明はこのような問題を解決し、大掛かりな作業を行う必要がなく、汚れたり、傷んだ帯板状の木質床材のみを部分的に取替えることのできる、木質リフォーム床材及びそれを用いたリフォーム方法を提供することを、その課題とする。
【課題を解決するための手段】
【０００５】
上記課題を解決するために、本発明においては、つぎのような技術的手段を講じている。すなわち、請求項１に記載の発明によれば、隣り合う床材の長手方向の左右側面に設けられた溝部どうしを雇い実により実結合し、床面として用いられた複数の帯板状木質床材を個々に取替えるための該帯板状木質床材と同形の床材であって、基板部と該基板部の左右上部に水平に突設された左係止部と右係止部とからなり、断面略Ｔ字形で、かつ、木口が合じゃくり構造とされた木質リフォーム床材が提供される。帯板状木質床材としてはとくに限定されず、無垢の床材、化粧合板等の複合床材等が用いられる。また、上記木質リフォーム床材のサイズとしては、例えば、５寸×３尺、１尺×６尺等のものが用いられる。
【０００６】
請求項２に記載の発明によれば、隣り合う床材の長手方向の左右側面に設けられた溝部どうしを雇い実により実結合し、床面として用いられた複数の帯板状木質床材を個々に取替えるための該帯板状木質床材と同形の床材であって、基板部と該基板部の左右上部に水平に突設された左係止部と右係止部とからなり、断面略Ｔ字形で、かつ、木口が合じゃくり構造とされた木質リフォーム床材を、損傷した上記帯板状木質床材を取り除いた部分に嵌入し、上記基板部の底面を床下地材に固着する木質床材のリフォーム方法が提供される。
【０００７】
請求項３に記載の木質床材のリフォーム方法は上記のとおりであり、請求項２に記載の発明に加えて、上記基板部の底面を両面粘着テープを用いて床下地材に貼着し、固着される。固着手段としてはとくに限定されず、両面粘着テープ、接着剤等をあげることができるが、施工が簡単であるため、両面粘着テープを用いることが好ましい。
【０００８】
請求項４に記載の木質床材のリフォーム方法は上記のとおりであり、請求項２に記載の発明に加えて、さらに、上記木質リフォーム床材の左係止部の下面と右係止部の下面とが、それぞれリフォーム用雇い実に固着される。固着手段としてはとくに限定されないが、上記と同様の理由で両面粘着テープを用いることが好ましい。
【発明の効果】
【０００９】
請求項１に記載の発明にかかる木質リフォーム床材は上記のとおりであり、基板部と該基板部の左右上部に水平に突設された左係止部と右係止部とからなり、断面略Ｔ字形とされ、損傷した帯板状木質床材と同形であるため、損傷部を取り除いた部分にスムースに嵌入させることができる。また、木口が合じゃくり構造とされているため、端部どうしを重ね合わせてしっかりと結合させることができる。
【００１０】
請求項２に記載の発明にかかるリフォーム方法は上記のとおりであり、基板部と該基板部の左右上部に水平に突設された左係止部と右係止部とからなり、断面略Ｔ字形で、損傷した帯板状木質床材と同形とされた木質リフォーム床材を、損傷部を取り除いた部分に嵌入させ、上記基板部の底面を床下地材に固着するため、上記木質リフォーム床材を用いて床面の損傷した帯板状木質床材のみを部分的に簡単に取替えることができる。
【００１１】
請求項３に記載のリフォーム方法は上記のとおりであり、請求項２のリフォーム方法の有する効果に加え、基板部の底面を両面粘着テープを用いて床下地材に貼着し、固着するため、請求項２のリフォーム方法の有する効果に加えて、剥離紙を剥がすだけで、木質リフォーム床材を床下地材に貼着することが可能となり、簡単に、作業性よくリフォームを行うことができる。
【００１２】
請求項４に記載のリフォーム方法は上記のとおりであり、請求項２のリフォーム方法の有する効果に加え、さらに、上記木質リフォーム床材の左係止部の下面と右係止部の下面とが、それぞれリフォーム用雇い実に固着されるため、上記木質リフォーム床材の長手方向に沿う端部の剥がれや、反りを防ぎ、確実に床面の部分的なリフォームを行うことができる。
【発明を実施するための最良の形態】
【００１３】
以下、本発明の実施形態について図面を参照して、詳細に説明する。図１は、本発明にかかる木質リフォーム床材Ａを示す斜視図である。図１に示されているように、上記木質リフォーム床材Ａは、基板部１と基板部１の左右上部に水平に突設された左係止部１１と、右係止部１２とからなり、断面略Ｔ字形とされ、木口Ｋは合じゃくり構造とされている。例えば、図３に示す床面を部分的に傷つけた場合、複数の帯板状木質床材５のうち、損傷したものを取り除き、取り除いた部分に図１に示す断面Ｔ字形のリフォーム床材Ａをスムースに嵌入することが可能となり、床面全体を取替えることなく、部分的にリフォームすることができる。
【００１４】
以下、上記木質リフォーム床材Ａを用い、床面を部分的にリフォームする方法について、図２（ａ）、（ｂ）、（ｃ）に示す横断面図を参照して説明する。本実施形態においては、図２（ａ）に示すように、上記基板部１を床下地材に固着するための手段として、その底面に両面粘着テープ３が貼着され、左係止部１１の下面には両面粘着テープ３１が、右係止部１２の下面には両面粘着テープ３２がそれぞれ貼着されている。まず、既存の帯板状木質床材５の側面に設けられた溝部５１に硬質プラスチックから形成された新しいリフォーム用の左側雇い実２１を半嵌合させる。
【００１５】
ついで図２（ｂ）に示すように、左係止部１１の下面に貼着された両面粘着テープ３１の剥離紙を剥がし、上記左側雇い実２１の露出した上面に貼着する。さらに、既存の帯板状木質床材５の側面に設けられた溝部５１に新しいリフォーム用の右側雇い実２２を半嵌合し、その露出した上面に、上記右係止部１２の下面に貼着された両面粘着テープ３２の剥離紙を剥がし、図２（ｂ）に矢印で示すようにして上記右側雇い実２２の露出した上面に貼着する。最後に、基板部１の底面に貼着された両面粘着テープ３を床下地材４に貼着させる。
【００１６】
図２（ｃ）はこのようにして本発明にかかる木質リフォーム床材Ａを床下地材４に施工した状態を示す縦断面図である。図２（ａ）、（ｂ）、（ｃ）に示す実施形態においては、固着手段として粘着テープを用いたが、粘着テープに限定されず接着剤等を用いてもよい。また、上記１枚の帯板状木質床材５を取替える場合についての説明したが、長手方向に複数の帯板状木質床材５を取替えることも可能である。以上述べたように、本発明の木質リフォーム床材及びそれを用いるリフォーム方法を実施することにより床面の損傷した部分のみを、簡単に、作業性よく取替えることができる。
【図面の簡単な説明】
【００１７】
【図１】本発明にかかる木質リフォーム床材を示す斜視図である。
【図２】（ａ）上記木質リフォーム床材を用いて床面を部分的にリフォームする方法の最初の段階を示す横断面図である。（ｂ）上記木質リフォーム床材を用いて床面を部分的にリフォームする方法の中間の段階を示す横断面図である。（ｃ）上記木質リフォーム床材を床下地材に施工した状態を示す横断面図である。
【図３】従来の雇い実によって相互に実結合した帯板状木質床材からなる床面を示す部分斜視図である。
【符号の説明】
【００１８】
Ａ          本発明にかかる木質リフォーム床材
Ｋ          上記木質リフォーム床材の木口
１          基板部
１１        左係止部
１２        右係止部
２１        リフォーム用の左側雇い実
２２        リフォーム用の右側雇い実
３          両面粘着テープ
３１        両面粘着テープ
３２        両面粘着テープ
４          床下地材
５          帯板状木質床材
５１        上記の左右長手方向の側面に設けられた溝部
６          雇い実
【図１】
2007154626.tif 000003
【図２】
2007154626.tif 000004
【図３】
2007154626.tif 000005